(57)【特許請求の範囲】
【請求項１】
上下に昇降するテーブル部とキャスターを有して移動可能なベース部とを有する昇降テーブルにおいて、
ベース部には床に固定する固定機構部を設けるとともに、該固定機構部を操作する操作部をテーブル部に設けて、該固定機構部と操作部とを連携する連携部を設け、
前記ベース部側に固定された第１支柱と、昇降する前記テーブル部側に可動する第２支柱とを設け、これら第１支柱と第２支柱とを互いに嵌合してスライドして長さが可変する支柱部を設け、
該連携部は、一端をベース部第１支柱の上端近傍のワイヤー固定部に固定したワイヤーを、テーブル部にそれぞれ設けた第１方向変更プーリーと第２方向変更プーリーの順に掛け渡すとともに、該ワイヤーの他端を前記ベース部の固定機構部に繋げた構成とし、
該第１方向変更プーリーと該第２方向変更プーリーのいずれかを位置可変として前記操作部とすることを特徴とする昇降テーブルの固定装置。
【請求項２】
前記第１方向変更プーリーが前記ワイヤー固定部より下方に位置し、前記第２方向変更プーリーが位置可変の前記操作部であることを特徴とする請求項１記載の昇降テーブルの固定装置。
【請求項３】
前記第１方向変更プーリーが前記ワイヤー固定部より上方に位置し、該第１方向変更プーリーが位置可変の前記操作部であることを特徴とする請求項１記載の昇降テーブルの固定装置。
【請求項４】
前記固定機構は、キャスターの車輪をロック／ロック解除する機構であることを特徴とする請求項１から３の記載から選択される昇降テーブルの固定装置。
【請求項５】
前記固定機構は、ストッパー板を接地し、キャスターのキャスター輪を床から浮かせることを特徴とする請求項１から３の記載から選択される昇降テーブルの固定装置。
【発明の詳細な説明】
【技術分野】
【０００１】
本発明は、病院のベッド等に配置するサイドテーブルやオーバーベッドテーブルのテーブル部が昇降する昇降テーブルの固定装置に関するものである。
【背景技術】
【０００２】
従来より、病院のベッド等にはテーブルが昇降するサイドテーブルやオーバーベッドテーブルが配置されているが、キャスタ毎にロックまたはロック解除する構造のもので、操作するには使用者や介護者や看護師等にとって煩わしい作業をしなければならないことがあった。
そこで、本発明者らは、特許文献１に開示されているように、病院のベッド等にはテーブルが昇降するサイドテーブルやオーバーベッドテーブルが配置され、この昇降テーブルはテーブル部に設けられたキャスター操作部の操作により、これら昇降テーブルを通常は床に対してキャスター部を固定し、移動する際にはキャスター部を固定解除する機構を提供している。
【先行技術文献】
【特許文献】
【０００３】
【特許文献１】特開２０１３−４２８８８号公報
【発明の概要】
【発明が解決しようとする課題】
【０００４】
前述した特許文献１(特開2013-42888号公報)に開示される昇降テーブルの一種である昇降可能なベッドサイドテーブルは、キャスターの一括ロック／解除操作レバーをテーブル部の側部又は底部にし、昇降レバーの近傍に配置して操作を単純にし、操作を一回で完結するようにしたベッドサイドテーブルであるが、駆動伝達機構は、同軸ケーブルを使用しているために、制作費が高価であるという問題があった。
【０００５】
本発明の課題は、上記の問題点に鑑みてなされたもので、同軸ではない１本のワイヤーの掛け渡しで、昇降テーブルのキャスターをロック／ロック解除、或いはキャスターを浮かせる等で移動しないようにした昇降テーブルの固定装置を提供しようとするものである。
【課題を解決するための手段】
【０００６】
上記課題を解決するために、請求項１の発明は、上下に昇降するテーブル部とキャスターを有して移動可能なベース部とを有する昇降テーブルにおいて、ベース部には床に固定する固定機構部を設けるとともに、 該固定機構部を操作する操作部をテーブル部に設けて、該固定機構部と操作部とを連携する連携部を設け、前記ベース部側に固定された第１支柱と、昇降する前記テーブル部側に可動する第２支柱とを設け、 これら第１支柱と第２支柱とを互いに嵌合してスライドして長さが可変する支柱部を設け、該連携部は、一端をベース部第１支柱の上端近傍のワイヤー固定部に固定したワイヤーを、テーブル部にそれぞれ設けた第１方向変更プーリーと第２方向変更プーリーの順に掛け渡すとともに、該ワイヤーの他端を前記ベース部の固定機構部に繋げた構成とし、該第１方向変更プーリーと該第２方向変更プーリーのいずれかを位置可変として前記操作部とすることを特徴とする昇降テーブルの固定装置である。
【０００７】
請求項２の発明は、実施例１に対応するもので、請求項１記載の昇降テーブルの固定装置において、前記第１方向変更プーリーが前記ワイヤー固定部より下方に位置し、前記第２方向変更プーリーが位置可変の前記操作部であることを特徴とする。
請求項３の発明は、実施例２及び３に対応するもので、請求項１記載の昇降テーブルの固定装置において、前記第１方向変更プーリーが前記ワイヤー固定部より上方に位置し、該第１方向変更プーリーが位置可変の前記操作部であることを特徴とする。
【０００８】
請求項４の発明は、請求項１から３の記載から選択される昇降テーブルの固定装置において、キャスターの車輪をロック／ロック解除する機構であることを特徴とする。
請求項５の発明は、前記固定機構は、ストッパー板を接地し、キャスターのキャスター輪を床から浮かせることを特徴とする。
【発明の効果】
【０００９】
本発明の昇降テーブルによれば、１本のワイヤーで、テーブル部に設けたる操作部により、ベース部の固定機構部を操作することができる。したがって、従来の同軸ワイヤーを使用するよりも格段に安価にすることができる。また、１本のワイヤーを操作するだけなので、同軸ワイヤーよりも操作レバーを操作する力が軽くなるという効果も奏する。
また、固定機構部は、従来のキャスターロック／解除機構を使用でき、確実に昇降テーブルを所定の床面に固定することができる。更に、固定機構としては、従来のキャスターの車輪を浮かせて、ストッパー板を接地した機構を使用できるので、高価なキャスターロック／解除機構を使用しないで済み、安価に製作することができる。  
【図面の簡単な説明】
【００１０】
【図１】本発明の実施例１の概念を示すワイヤー経路図で、図１(ａ)は、テーブルを下降させた状態のワイヤー状態、図１(ｂ)はテーブルを上昇させた状態のワイヤー状態の図、
【図２】本発明の実施例２の概念を示すワイヤー経路図で、図２(ａ)は、テーブルを降下させた状態のワイヤー状態、図２(ｂ)はテーブルを上昇させた状態のワイヤー状態の図、
【図３】本発明の実施例１及び２の操作レバーが下がってサイドテーブルが固定状態の側面断面図、
【図４】図３の支柱を除いた操作部のテーブル底部の底面図
【図５】操作レバーが操作されて上がって、サイドテーブルが移動可能状態の側面断面図、
【図６】実施例１及び２のサイドテーブルの底面図、
【図７】脚部３３のキャスター４１１と回動棒４１２と振り子プーリ４１４との関係を示す正面断面図、
【図８】第１固定機構部のキャスターの側面図、
【図９】図８のキャスターがロックされた状態の正面拡大図、
【図１０】図８のキャスターがロック解除された状態の正面拡大図、
【図１１】図１１(ａ)は固定状態の脚部の全体側面図、図１１(ｂ)は移動可能の脚部の全体側面図、
【図１２】第２固定機構部のストッパ板４２１が下降してキャスターがロックされて状態の正面拡大図、
【図１３】第２固定機構部のストッパ板４２１が上方に退避して下降してキャスターが接地して移動可能な状態の正面拡大図、
【図１４】本発明の実施例３の概念を示すワイヤー経路図で、図１４(ａ)は、テーブルを降下させた状態のワイヤー状態、図１４(ｂ)はテーブルを上昇させた状態のワイヤー状態の図、
【図１５】本発明の実施例３の操作レバーが下がって、サイドテーブルが固定状態の側面断面図、
【図１６】実施例３の図１５の支柱を除いた操作部の底面図
【図１７】実施例３の操作レバーが操作されて上がって、サイドテーブルが移動可能状態の側面断面図である。
【発明を実施するための形態】
【００１１】
ここで、本発明の好適な実施例として昇降テーブルとしてサイドベッドテーブルについて、図面に沿って説明する。
[実施例１]
本発明の実施例１の昇降テーブルを図面に沿って説明する。
図１は、本発明の実施例１の概念を示すワイヤー経路図である。図１(ａ)はテーブル部２を下降させた状態、図1(ｂ)はテーブル部２を上昇させた状態であるが、サイドテーブル(昇降テーブル)１は上下に昇降するテーブル部２とキャスター４１１を有して移動可能なベース部３から構成される。ベース部３には床に対してキャスター４１１等を固定、或いは、キャスター４１１を浮かせて脚部を固定するストッパー４２１等の固定機構部４を設け、この固定機構部４を操作する操作部５を昇降するテーブル部２に設けて、この固定機構部４と操作部５とを連携する連携部６を設けたものである。
テーブル部２は、長さが伸縮する支柱部７でベース部３に支持されるが、ベース部３側の固定された支柱部７である第１支柱３１と、昇降する前記テーブル部側に固定された支柱部７である第２支柱２１とを設け、これら第１支柱３１と第２支柱２１とを互いに嵌合してスライドする長さが可変する支柱部７を形成する。
【００１２】
前記連携部６は主に支柱部７の内部とテーブル部２の底部に設けられるが、該連携部６は、一端をベース部における第１支柱３１の上端近傍のワイヤー固定部６６に固定したワイヤーＷを、 テーブル部２にそれぞれ設けた第１方向変更プーリー６１と第２方向変更プーリー６２の順に掛け渡すとともに、 該ワイヤーＷの他端Ｗ２を前記ベース部３の固定機構部に繋げ、該第２方向変更プーリー６２を位置可変として前記操作部５としたものである。
第１実施例は、このように、第１方向変更プーリー６１がワイヤー固定部６６より下方に位置し、第２方向変更プーリー６２が位置可変の操作部５を構成したものであるが、これらのプーリ６１〜６２に１本のワイヤーＷを掛け渡し固定機構部４を操作するが、テーブル部２が昇降するだけでは、固定機構部４にワイヤーＷが作用しないことを説明する。
【００１３】
まず、１本のワイヤーＷの一端Ｗ１をベース部３の上端近傍のワイヤー固定部６６に固定する。次に、このワイヤーを第２支柱２１テーブル部２側の第１方向変更プーリ６１、及び、第２方向変更プーリ６２の順に掛け渡すとともに、ワイヤー他端Ｗ２をベース部２の固定機構部４に繋げている。
したがって、図１(ａ)のテーブル部２が下降した状態から、図１(ｂ)のテーブル部２が上昇した状態に移行すると、図１(ａ)で第１支柱３１内のワイヤー固定部６６から第1方向変更プーリ６１と間の距離がｘ１だけ短くなるが、図１(ｂ)に示すように、第２方向変更プーリ６２と振り子プー４１４の距離がｙ１だけ拡がり上記のｘ１を吸収（ｘ１＝ｙ１）することになり、結局、操作部５を操作しない限り、ワイヤー固定部６６と振り子プーリ４１４との経路長は不変である。
【００１４】
[実施例２]
次に、実施例２の概念を図２に沿って説明するが、図２はワイヤー経路図であり、図２(ａ)はテーブル部２を下降させた状態、図２(ｂ)はテーブル部２を上昇させた状態であるが、実施例１と異なるのは、ワイヤーＷの掛け渡し順を変え、テーブル部２側の第１方向変更プーリ６１をワイヤー固定部６６より上方に位置させ、この第１方向変更プーリー６１を操作部５とし、テーブル部２側に設けた第２方向変更プーリ６２に対応する第３方向変更プーリ６３をベース部３側に設けた点で、その他の構成は実施例１の構成と同じである。
【００１５】
このワイヤーＷの掛け順を図２で説明すると、連携部６は、一端をベース部における第１支柱３１の上端近傍のワイヤー固定部６６に固定したワイヤーＷを、テーブル部２にそれぞれ設けたプーリーの第１方向変更プーリー６１と第２方向変更プーリー６２の順に掛け渡すとともに、更に、ベース部３側の上端近傍に第３方向変更プーリ６３を設けて、この第３方向変更プーリ６３に掛け渡し ワイヤーＷの他端Ｗ２を前記ベース部３の固定機構部４(図８参照)に繋げたものである。
したがって、１本のワイヤーＷの一端Ｗ１をベース部３の上端近傍のワイヤー固定部６６に固定し、次に、このワイヤーを第２支柱２１内のテーブル部２側のプーリにおいて、第１方向変更プーリ６１、及び、第２方向変更プーリ６２の順に掛け渡すとともに、ワイヤー他端Ｗ２をベース部２の固定機構部４に繋げている。
そこで、図２(ａ)のテーブル部２が下降した状態から、図２(ｂ)のテーブル部２が上昇した状態に移行すると、図２(ａ)で第１支柱３１内のワイヤー固定部６６と第１方向変更プーリ６１と間の距離がｘ２だけ長くなるが、図２(ｂ)に示すように、第２方向変更プーリ６２と第３方向変更プーリ６３の距離がｙ２だけ短くなり、上記のｘ２を吸収（ｘ２＝ｙ２）することになり、結局、操作部５を操作しない限り、ワイヤー固定部６６と振り子プーリ４１４との経路長は不変である。
更に詳しくは、図２(ａ)の第１支柱３１内のワイヤー固定部６６と第１方向変更プーリ６１と間の距離ｘ２(ａ)が、図２(ｂ)ではｘ２(ｂ)に拡がり、その差ｘ２だけ長くなり、他方、図２(ａ)の第２方向変更プーリ６２と第３方向変更プーリ６３の距離ｙ２(ａ)が、図２(ｂ)ではｙ２(ｂ)に縮まり、その差ｙ２だけ短くなり、結果として上述したように経路長は不変である。
【００１６】
次に、実施例１と実施例２に共通の操作部５とワイヤーＷと固定機構部４との関係を説明する。
ワイヤーＷの操作部５は、図３〜５に示すようなもので、図３、図４は操作部５の回動軸５１を中心に回動するレバー５２を下げて、固定機構部４を作動させて床に固定するが、この固定機構部はキャスター４１１をロックしたり、ストッパー４２１が床に下降して床に固定する機構である。この場合には、常に、ワイヤーＷを固定機構部４側にバネ等で引っ張るように構成されているので、通常の状態では、レバー５２が下がった状態を維持し、図３に示すよおに、レバー５２のレバー中央凹状部５２１にプーリホルダー５３が垂直に支持されるが、このプーリホルダー５３に回動自在に軸支される第２方向変更プーリ６２自体も降下位置にあり、したがって、サイドテーブル(昇降テーブル)１も固定機構部４が稼働してロック状態になり、通常時には常時固定されている。
図５は、サイドテーブルが移動する場合で、レバー５２を挙げて、第２方向変更プーリ６２自体を、図示するよおに、上方に引っ張り挙げワイヤーＷのを引っ張り、固定機構部４に繋がるワイヤー他端部４２を引っ張ることになる。なお、図４〜図５、図１５での符号１１はテーブル昇降用の昇降レバーである。
【００１７】
ここで、固定機構部４を説明するが、図６に示すように、この固定機構部４はベース部３の底面部３２は、対向する一対の脚部３３、３４が設けられ、これらの対向する脚部３３．３４を掛け渡す掛渡脚３５が設けられ、全体としては底面でＨ字形をしている。これらの各脚部３３，３４の先端部にはそれぞれキャスター４１１が計４個配置され、支柱部７のベース部２の底面部３２に第１固定機構部４１が、また、支柱部７に対向するわずかに短い脚部３４には第２固定機構部４２が設けられている。
固定機構部４の１例として第１固定機構部４１から説明すると、固定機構部４の一例として、図６〜９に示すように、支柱部７のベース部３の底面部３２に設けた第１固定機構部４Ａのキャスターロック機構４１を説明する。
図７に示すように、脚部３３に回動棒４１２を設け、この回動棒４１２の中央部には凹状部４１３を設け、この凹状部４１３には振り子運動をする振り子プーリ４１４が回動自在に軸支されている。回動棒４１２の両端は図７、図８に示すように、直角に折れ曲がった作動部４１５が設けられている。
図１及び２において、連携部６で操作部５を操作するとワイヤーＷが引っ張られ、図７、８に示すように、前記振り子プーリ４１４が回動すると同時に、更に、ワイヤーＷを引っ張ることになる。ここで、振り子プーリ４１４が振り子運動のように回動することになり、作動端部４１５もスライド棒４１１５の上端を押圧するように回動する。
【００１８】
この作動端部４１５が、キャスター４１１のロック及びロックを解除する動作をするが、この動作を図８〜１０に沿ってキャスター４１１のロック状態を説明する。
キャスター４１１自体の構成は公知のもので、図８の実線部分がロック状態、また、図９が通常のキャスター４１１がロックされた状態であるが、キャスター４１１の構成は、キャスター輪４１１１の内側に内歯車４１１２を設けられ、嵌合歯４１１３がバネ４１１４によって、通常は嵌合しキャスター４１１をロック状態に維持する。この嵌合歯４１１３は、逆コ字状のコ字状枠体４１１４によって約上下方向に可動し、一端は嵌合歯４１１３に連結し他端はスライド棒４１１５の下端に接している。このスライド棒４１１５は上下にスライドするよおになっているが、下端には押圧バネ４１１６よって上側に押されて、図９のような状態になっており、にスライド棒４１１１の上端は回動棒４１２の作動端部４１５が当接している。
次に、キャスター４１１のロックの解除動作を説明するが、図８の点線部分がロック解除状態、また、図１０に示すように、作動端部４１５が振り子プーリ４１４の回動によって下降すると、スライド棒４１１も押圧バネ４１１６の押上力に抗して下降し、コ字状枠体４１１４を下降させ、コ字状枠体４１１４の一端に設けた嵌合歯４１１３を下降させ、結果、内歯車４１１２から嵌合歯４１１３を離脱して、キャスター４１１のロックを解除する。
【００１９】
次に、固定機構部４の第２固定機構部４２を説明する。
実施例１及び実施例２では、図６の支柱部７に対向するわずかに短い脚部３４には第２固定機構部４２が設けられおり、これを側面図としたのが図１１(ａ)(ｂ)であり、図１１(ａ)がサイドテーブルの第１固定機構部４１や第２固定機構部４２が、床に対して固定する固定状態であり、図１１(ｂ)がサイドテーブルの移動を可能にしたロック解除状態である。
第２固定機構部４２は、ストッパー板４２１を接地し、キャスター４１１のキャスター輪４１１１を床から浮かせる機構であり、ロック状態の図１２と、ロック解除状態の図１３に沿って説明する。
図１２において、回動腕４２２は、回動軸４２３を中心に図で反時計回りに回動して先端のストッパー板４２１が床に接地した状態にあり、通常は伸縮方向に作用する収縮バネ４２４により通常はこの接地状態にある。回動腕４２２の先端部の近傍には、リンク４２５の一端を回動可能に支点４２６で軸支する。このリンク４２５の他端は固定部の長孔４２７に沿って移動する移動用ピン４２８が設けられている。この長孔４２７は多少傾きがあるがほぼ水平方向に長い形状であり、この長孔４２７をスライドする移動用ピン４２８には拘合部材４２９の嵌合するとともに、この拘合部材４２９にはワイヤーＷの末端である最終端Ｗ３が繋止されている。
したがって、Ｐ１点(脚部３４で固定位置にある回動軸４２３)、Ｐ２点(回動腕４２２の支点４２６)、Ｐ３点(長孔４２７をスライドする移動ピン４２８)からなるリンク機構が形成される(一点鎖線と収縮バネ４２４からなる三角形）。
以上がストッパー板４２１が床に接地し、サイドテーブル(昇降テーブル)１を床に対して固定した状態である。
【００２０】
次に、ストッパー板４２１が床に接地した状態から、床から離れる状態を図１３に沿って説明する。
図５で、操作部５のレバー５２を挙げると、ワイヤーＷが引っ張られると、拘合部材４２９は図１３は左方向に引っ張られるので、長孔４２７に沿ってスライドする移動ピン４２８(Ｐ２点)は、収縮バネ４２４の伸縮力に抗して左側に引き寄せられ、回動軸４２３は脚部３４に設けられた不動位置であるから、回動腕４２２の支点４２６は図１３のように上方に移動し、支点４２６か設けられた回動軸４２２の上方に回動(図では反時計回り)し、結果、ストッパー板４２１を上方に退避させ、キャスター４１１は床に降り、サイドテーブル１は移動可能となる。
本実施例では、以上のようなリンク機構は、扁平で高さがない脚部３４に組み込むには適している。
【００２１】
[実施例３]
本発明の実施例３の昇降テーブルを図１４に沿って説明するが、実施例３は、実施例１及び実施例２図とは、図１４に示すようにワイヤー経路図は実施例２の変形で、２対の補助方向変更プーリ６１１，６１２を設けて、操作部５の移動方向を水平或いは回動するようにしたものであり、その他の構成は実施例１，２と同じである。
図１４のワイヤー経路図において、連携部６は主に支柱部７の内部に設けられるが、テーブル部２に第１方向変更プーリ６１と第２方向変更プーリ６２とを設け、ベース部側に第３方向変更プーリ６３を設け、第１方向変更プーリ６１のワイヤーＷの出入り側に補助方向変更プーリ６１１，６１２を設けている。
これらのプーリ６１〜６３に１本のワイヤーＷを掛け渡し固定機構部４を操作するが、テーブル部２が昇降するだけでは、固定機構部４にワイヤーＷが作用しないことは、実施例２と同じである。
【００２２】
まず、１本のワイヤーＷの一端Ｗ１をベース部３側における第１支柱３１の上端近傍のワイヤー固定部６６に固定したワイヤーＷを補助方向変更プーリ６１１によって水平方向に変更して、第１方向変更プーリ６１に掛け渡し、補助方向変更プーリ６１２によって、下方に方向を変換してテーブル部２側の第２方向変更プーリ６２に掛け渡した後に、ベース部３側の第１支柱３１内の第３方向変更プーリ６３からワイヤー他端Ｗ２をベース部２の固定機構部４に繋げている。
したがって、図１４(ａ)のテーブル部２が下降した状態から、図１４(ｂ)のテーブル部２が上昇した状態に移行すると、図１４から第３方向変更プーリ６３と第２支柱２１の第２方向変更プーリ６２との間の距離がｘ３だけ縮小するが、図１４(ｂ)に示すように、ベース部３側のワイヤー固定部６６とテーブル部２側における補助方向変更プーリ６１１との距離がｙ３だけ拡がり、上記の縮小部分を吸収（ｘ３＝ｙ３）することになり、結局、操作部５を操作しない限り、ワイヤー固定部６６とベース部３側における固定機構部４の振り子プーリ４１４との距離は不変である
【００２３】
次に、操作部５の構成が第１方向変更プーリ６１を水平或いは回動させる構成であるので、実施例１、２とは異なるので、図１５〜１７に沿って説明する。
実施例３のワイヤーＷの操作部５は、図１５、図１６に示すように、操作部５において回動軸５６を中心に回動するレバー５７を下げて、固定機構部４を作動させて床に固定する。この固定機構部４はキャスター４１１をロックしたり、ストッパー４２１が床に下降して床に固定する機構である。この場合には、常に、ワイヤーＷを固定機構部４側にバネ等で引っ張るように構成されているので、通常の状態では、レバー５７が下がった状態を維持し、サイドテーブル(昇降テーブル)１は常時に床に固定されている。
図１７は、サイドテーブルが移動する場合で、レバー５７を挙げて、第１方向変更プーリ６１自体を、回動軸５６と第１方向変更プーリ６１の回動腕５８とを連結するリンク機構５９により回動下降させて、第１方向変更プーリ６１への巻き付け量を増やすことによって、ワイヤーＷのを引っ張り、固定機構部４に繋がるワイヤー他端部Ｗ２を引っ張ることになる。
実施例３の操作機構は、操作部でもある第１方向変更プーリ６１が基本的に水平方向の移動なので全体が扁平でワイヤーＷの移動量を大きくすることが可能である。
【００２４】
本発明の実施例１、２、３は、以上のような構成であるので、サイドテーブル(昇降テーブル)１は、本のワイヤーＷで、テーブル部２に設けた操作部５により、ベース部２の固定機構部４を操作することができる。したがって、従来の同軸ワイヤーを使用するよりも格段に安価にすることができ、部品を共通化でき、かつコンパクトにすることができる。
また、第１固定機構部４１は、従来のキャスターロック／解除機構を使用でき、確実に昇降テーブルを所定の床面に固定することができ、第２固定機構部４２はキャスター４１１の車輪を浮かせて、ストッパー板４２１ストッパー板を接地した機構であるので、高価なキャスターロック／解除機構を使用しなで済み、安価に製作することができる。
また、１本のワイヤーを操作するだけなので、同軸ワイヤーよりも操作レバーを操作する力が軽くなるという効果も奏する。
なお、第１固定機構部４１を、従来のキャスターロック／解除機構を設けたが、第２固定機構部４２はキャスター４１１の車輪を浮かせて、ストッパー板４２１ストッパー板を接地した機構としてもよく、第２固定機構部を第１固定機構部のキャスター自体をロック／ロック解除の機構としてもよい。
また、本実施例では昇降テーブルをサイドテーブルで説明したが、他の昇降テーブル、例えば、オバーベッドテーブルに用いてもよい。
なお、本発明の特徴を損なうものでなければ、上記の実施例に限定されるものでないことは勿論である。
【符号の説明】
【００２５】
Ｗ・・ワイヤー、Ｗ１・・一端、Ｗ２・・他端、Ｗ３・・末端(最終端)
１・・・サイドテーブル(昇降テーブル)、１１、昇降レバー
２・・・テーブル部、２１・・第２支柱、
３・・・ベース部、３１・・・第１支柱、３２・・・底面部、
３３，３４・・脚部、３５・・掛渡脚
４・・・固定機構部、４１・・第１固定機構部、
４１１・・キャスター、４１１１・・キャスター輪、４１１２・・内歯車、
４１１３・・嵌合歯、４１１４・・コ字状枠体、４１１５・・スライド棒、
４１１６・・押圧バネ、
４１２・・回動棒、４１３・・凹状部、４１４・・振り子プーリ、
４１５・・作動端部、
４２・・第２固定機構部、４２１・・・ストッパー板、４２２・・回動腕、
４２３・・回動軸、４２４・・収縮バネ、４２５・・リンク、４２６・・支点４、
４２７・・長孔、４２８・・移動用ピン、４２９・・拘合部材
５・・・操作部、
５１・・回動軸、５２・・・レバー、５２１・・レバー中央凹状部、
５３・・プーリホルダー、
５６・・回動軸、５７・・・レバー、５８・・回動腕、
５９・・リンク機構、
６・・・連携部、６１・・・第１方向変更プーリ、
６１１・・補助方向変更プーリ、６１２・・補助方向変更プーリ、
６２・・・第２方向変更プーリ、６３・・第３方向変更プーリ
６６・・・ワイヤー固定部、
７・・・支柱部
【図１】
0006673758.tif 000002
【図２】
0006673758.tif 000003
【図３】
0006673758.tif 000004
【図４】
0006673758.tif 000005
【図５】
0006673758.tif 000006
【図６】
0006673758.tif 000007
【図７】
0006673758.tif 000008
【図８】
0006673758.tif 000009
【図９】
0006673758.tif 000010
【図１０】
0006673758.tif 000011
【図１１】
0006673758.tif 000012
【図１２】
0006673758.tif 000013
【図１３】
0006673758.tif 000014
【図１４】
0006673758.tif 000015
【図１５】
0006673758.tif 000016
【図１６】
0006673758.tif 000017
【図１７】
0006673758.tif 000018